(57)【特許請求の範囲】
【請求項１】
光を射出する発光部を有する発光管と、
前記発光管を囲む筒体と、を備えた光源装置であって、
前記筒体は、
前記筒体において互いに隣り合う第１側壁部及び第２側壁部と、
前記第１側壁部及び前記第２側壁部にそれぞれ設けられ、前記発光部に向けて前記筒体内に空気を導入する第１ダクト及び第２ダクトと、
前記第１ダクト及び前記第２ダクトに空気を導入するための導入口と、
前記導入口へ空気を吐出する冷却ファンと、
前記導入口から導入された空気を前記第１ダクトまたは前記第２ダクトに流通させる流路切替機構と、
前記導入口及び前記第１ダクトを介して前記発光部へ空気を流通させる第１流路と、
前記導入口及び前記第２ダクトを介して前記発光部へ空気を流通させる第２流路と、を有し、
前記冷却ファンは、空気の吐出方向が前記第１ダクトの延出方向に沿うように配設され、前記冷却ファンから前記第１ダクトへの空気の流路が屈曲していない
ことを特徴とする光源装置。
【請求項２】
請求項１に記載の光源装置であって、
前記第１流路の曲折数は、１回であることを特徴とする光源装置。
【請求項３】
請求項１または請求項２に記載の光源装置であって、
前記第２流路の曲折数は、２回であることを特徴とする光源装置。
【請求項４】
請求項１から請求項３のいずれか一項に記載の光源装置であって、
前記第１ダクト及び前記第２ダクトは、
互いに一端同士が接続される接続位置を有し、
前記流路切替機構は、
前記接続位置に設けられることを特徴とする光源装置。
【請求項５】
請求項４に記載の光源装置であって、
前記流路切替機構は、
当該光源装置が第１の姿勢に設定された場合に前記第１ダクトへ空気を流通し、前記第１の姿勢とは異なる第２の姿勢に設定された場合に前記第２ダクトへ空気を流通させることを特徴とする光源装置。
【請求項６】
請求項１から請求項５のいずれか一項に記載の光源装置を備えることを特徴とするプロジェクター。
【請求項７】
請求項５に記載の光源装置を備え、
前記第２の姿勢に設定された場合に、
前記冷却ファンの回転数を増加させるように制御することを特徴とするプロジェクター。
【請求項８】
請求項６または請求項７に記載のプロジェクターであって、
前記冷却ファンは、
前記導入口に向けて延出する第３ダクトに接続され、
前記第３ダクトは、
前記導入口に空気を吐出する第１吐出口と、
前記第１吐出口に隣り合って設けられる第２吐出口と、を有し、
前記第２吐出口から吐出される空気は、前記筒体の表面に沿って流通し、前記筒体を冷却することを特徴とするプロジェクター。
【発明の詳細な説明】
【技術分野】
【０００１】
本発明は、プロジェクターに関する。
【背景技術】
【０００２】
従来、プロジェクターでは、内部に一対の電極が配置される発光部と、発光部の両端から互いに離間する方向に延出する一対の封止部とを有する発光管を備えた放電発光型の光源装置が多用される。
そして、このような放電発光型の光源装置を搭載したプロジェクターにおいて、発光部上部に冷却空気を送風して発光管の長寿命化を図る技術が提案されている（例えば、特許文献１参照）。
特許文献１に記載のプロジェクターでは、発光管及びリフレクターを収納する光源ランプ筐体において、上方側からの平面視で発光管の中心軸に合致する位置には、発光部上部に空気を送風するための流通口が形成されている。また、光源ランプ筐体には、発光管の中心軸を中心とする回転方向に沿って空気を流通させながら、流通口まで導く冷却用通気路が設けられている。
【０００３】
また、特許文献１に記載のプロジェクターでは、当該プロジェクターが正置き姿勢（机等の設置面に載置された姿勢）で設置された場合（以下、正置き姿勢の場合）、及び天吊り姿勢（正置き姿勢とは上下が逆となるように天井等に固定された姿勢）で設置された場合（以下、天吊り姿勢の場合）の双方において、発光部上部に空気を送風するために、以下のような構成を採用している。
すなわち、上述した流通口及び冷却用通気路は、上下対称となるようにそれぞれ一対設けられている。一対の冷却用通気路は、発光管の中心軸に沿う方向から見てそれぞれ略Ｌ字形状を有し、光源ランプ筐体の側方において一端同士が互いに連通している。
そして、正置き姿勢の場合には、光源ランプ筐体の側方に送風された空気は、一方の冷却用通気路（以下、第１冷却用通気路）の一端から導入され、第１冷却用通気路及び一方の流通口（以下、第１流通口）を介して発光部上部に送風される。一方、天吊り姿勢の場合には、光源ランプ筐体の側方に送風された空気は、他方の冷却用通気路（以下、第２冷却用通気路）の一端から導入され、第２冷却用通気路及び他方の流通口を介して発光部上部に送風される。
【先行技術文献】
【特許文献】
【０００４】
【特許文献１】特開２００５−１０５０５号公報
【発明の概要】
【発明が解決しようとする課題】
【０００５】
しかしながら、特許文献１に記載のプロジェクターでは、第１冷却用通気路は、光源ランプ筐体の側方に送風された空気を発光管の中心軸の上方側に位置する第１流通口まで導く必要があるため、流路が長くなってしまう。
また、第１冷却用通気路が上述したようにＬ字形状を有するように形成されているため、第１冷却用通気路に導入されてから発光部上部に送風されるまでの空気の流路は、第１冷却用通気路内部で１度、曲折するとともに、第１流通口を介して発光部上部に向う際に再度、曲折することとなる。
したがって、第１冷却用通気路の流路の長さや流路の曲折により、第１冷却用通気路での圧力損失が大きくなり、第１流通口を介して発光部上部に送風する際の空気の流速や流量を十分に確保できない。このため、空気を発光部上部に効果的に送風することができず、発光管の長寿命化が図り難い。
特に、第１，第２冷却用通気路が上述したように上下対称となるように設けられているため、正置き姿勢の場合に限らず、天吊り姿勢の場合でも同様に、発光管の長寿命化が図り難い、という問題がある。
【０００６】
本発明の目的は、発光管の長寿命化が図れるプロジェクターを提供することにある。
【課題を解決するための手段】
【０００７】
本発明のプロジェクターは、内部に一対の電極が配置される発光部を有する発光管と、前記発光管を囲む筒体と、前記発光管を冷却する冷却装置とを備えたプロジェクターであって、前記筒体は、前記筒体の周方向に沿って互いに隣り合う第１側壁部及び第２側壁部を備え、前記第１側壁部及び前記第２側壁部には、前記発光部に向けて空気を送風するための送風口がそれぞれ形成され、前記冷却装置は、空気を吸入して吐出する冷却ファンと、前記第１側壁部及び前記第２側壁部にそれぞれ取り付けられ、前記冷却ファンからの空気を導入する各一端から前記周方向に沿って互いに離間するように延出し、前記各一端から導入した空気を各前記送風口にそれぞれ導く第１ダクト及び第２ダクトとを備えることを特徴とする。
【０００８】
本発明では、筒体において、発光部に向けて空気を送風するための送風口は、例えば、第１側壁部を上方側の側壁部とした場合、上方側の側壁部と、上方側の側壁部に隣り合う側方の側壁部（第２側壁部）とにそれぞれ形成されている。
また、第１側壁部及び第２側壁部には、上述したように延出し各送風口に空気を導く第１ダクト及び第２ダクトがそれぞれ取り付けられている。すなわち、第１ダクト及び第２ダクトは、発光管の中心軸に沿う方向から見て、それぞれ略Ｉ字形状を有し、全体として略Ｌ字形状を有するように構成されている。
このことにより、例えば、正置き姿勢の場合には、第１ダクトの一端から空気を導入することで、空気は、第１ダクトに沿って略直線状に流通する。また、第１ダクトを流通した空気は、第１側壁部に形成された送風口を介して発光部に向う際に１度、流通方向が曲折し、発光部上部に送風される。
一方、天吊り姿勢の場合には、第２ダクトの一端から空気を導入することで、上記正置き姿勢の場合と同様に、発光部上部に空気が送風される。
以上のことから、従来の構成と比較して、第１ダクト及び第２ダクトの双方の流路の長さを短く設定でき、かつ、流路の曲折も少なく設定できるため、第１ダクト及び第２ダクトでの圧力損失を低減できる。このため、正置き姿勢及び天吊り姿勢の双方の場合において、発光部上部に送風する際の空気の流速や流量を十分に確保でき、発光管の長寿命化が図れる。
【０００９】
本発明のプロジェクターでは、前記第１ダクト及び前記第２ダクトは、前記一端同士が互いに接続して一体化され、前記第１ダクト及び前記第２ダクトの接続位置には、前記冷却ファンからの空気を導入するための導入口が形成されているとともに、前記導入口を介して導入された空気を前記第１ダクトまたは前記第２ダクトに流通させる流路切替機構が設けられていることが好ましい。
【００１０】
本発明では、第１ダクト及び第２ダクトが上述したように一体化され、接続位置に導入口及び流路切替機構が設けられているので、例えば、第１ダクト及び第２ダクトを別体とし、第１ダクト及び第２ダクトとは異なる位置（例えば、冷却ファンと当該第１ダクト及び第２ダクトとを接続する他のダクト）に流路切替機構を設けた構成と比較して、筒体に対する第１ダクト及び第２ダクトの組立効率を向上できるとともに、冷却装置の小型化も図れる。
【００１１】
本発明のプロジェクターでは、前記冷却ファンは、空気の吐出方向が前記第１ダクトまたは前記第２ダクトの延出方向に沿うように配設されていることが好ましい。
本発明によれば、例えば、空気の吐出方向が第１ダクトの延出方向に沿うように冷却ファンを配設することで、冷却ファンから第１ダクトへの空気の流路を曲折させることがない。このため、第１ダクトへの導入時の圧力損失を低減でき、第１側壁部に形成された送風口を介して発光部上部に空気を効果的に送風できる。
一方、上述したように冷却ファンを配設した場合には、冷却ファンから第２ダクトへ空気の流路が曲折することとなるが、流路の曲折数は、従来の構成に比較して依然として少ないものである。したがって、第２ダクトを介して発光部上部に空気を送風させる場合であっても、従来の構成に比較して、発光部上部に送風する際の空気の流速や流量を十分に確保できる。
【００１２】
また、プロジェクターの機種が例えば正置き姿勢で設置される状態の多い機種である場合には、正置き姿勢の場合に空気を流通させる第１ダクトまたは第２ダクトの延出方向に吐出方向が沿うように冷却ファンを配設すれば、天吊り姿勢の場合よりも正置き姿勢の場合に、発光部上部を効果的に冷却できる構成を実現できる。
このため、プロジェクターの機種に応じて、適切な冷却構造を実現できる。
【００１３】
本発明のプロジェクターでは、前記筒体には、前記発光管の端部に向けて空気を送風するための端部用送風口が形成され、前記冷却装置は、前記冷却ファンからの空気の一部を前記端部用送風口に導く第３ダクトを備えることが好ましい。
本発明では、冷却ファンからの空気の一部を、第１ダクト及び第２ダクトとは独立した第３ダクトを介して端部用送風口に導く。
このことにより、プロジェクターの姿勢によらず、端部用送風口を介して発光管の端部（封止部の先端）に一定の流速及び流量の空気を送風できる。このため、プロジェクターの姿勢によらず、発光管の端部を適切に冷却できる。
【図面の簡単な説明】
【００１４】
【図１】本実施形態におけるプロジェクターの内部構成を模式的に示す平面図。
【図２】本実施形態における光源装置の構成を示す斜視図。
【図３】本実施形態における光源装置の構成を示す斜視図。
【図４】本実施形態における冷却装置の一部の構成を示す斜視図。
【図５】本実施形態におけるランプユニットの構成を示す図。
【図６】本実施形態におけるハウジングの外観構成を示す斜視図。
【図７】本実施形態におけるハウジングの外観構成を示す斜視図。
【図８】本実施形態におけるハウジング内部を流通する空気の流路を示す図。
【図９】本実施形態におけるハウジング内部を流通する空気の流路を示す図。
【図１０】本実施形態における天吊り姿勢の場合での空気の流路を説明するための図。
【図１１】本実施形態における天吊り姿勢の場合での空気の流路を説明するための図。
【図１２】本実施形態における天吊り姿勢の場合での空気の流路を説明するための図。
【図１３】本実施形態における天吊り姿勢の場合での空気の流路を説明するための図。
【発明を実施するための形態】
【００１５】
以下、本発明の実施の一形態を図面に基づいて説明する。
〔プロジェクターの構成〕
図１は、本実施形態におけるプロジェクター１の内部構成を模式的に示す平面図である。
なお、以下では、説明の便宜上、後述する投射レンズ３５が配設される側を「前面側」とし、その反対側を「背面側」と記載する。
プロジェクター１は、画像情報に応じて光束を変調してスクリーン（図示略）上に投射する。このプロジェクター１は、図１に示すように、外装を構成する外装筐体２と、外装筐体２内部に配設される光学ユニット３とで大略構成されている。
【００１６】
〔光学ユニットの構成〕
この光学ユニット３は、図１に示すように、光源装置４と、レンズアレイ３１１，３１２、偏光変換素子３１３、及び重畳レンズ３１４を有する照明光学装置３１と、ダイクロイックミラー３２１，３２２、及び反射ミラー３２３を有する色分離光学装置３２と、入射側レンズ３３１、リレーレンズ３３３、及び反射ミラー３３２，３３４を有するリレー光学装置３３と、光変調装置としての３つの液晶パネル３４１、３つの入射側偏光板３４２、３つの出射側偏光板３４３、及び色合成光学装置としてのダイクロイックプリズム３４４を有する光学装置３４と、投射レンズ３５と、内部に各光学部品３１〜３４を収納するとともに投射レンズ３５を支持する光学部品用筐体３６とを備える。
そして、光学ユニット３では、上述した構成により、光源装置４から出射され照明光学装置３１を介した光束は、色分離光学装置３２にてＲ，Ｇ，Ｂの３つの色光に分離される。また、分離された各色光は、各液晶パネル３４１にてそれぞれ変調される。変調された各色光は、プリズム３４４にて合成されて、投射レンズ３５にてスクリーンに投射される。
【００１７】
〔光源装置の構成〕
図２及び図３は、光源装置４の構成を示す斜視図である。具体的に、図２は光源装置４を背面側から見た斜視図であり、図３は前面側から見た斜視図である。
なお、図２及び図３では、正置き姿勢の場合での光源装置４の姿勢状態を示している。すなわち、図２及び図３における上方側がプロジェクター１の天面側に相当し、下方側がプロジェクター１の底面側に相当する。図４から図９も同様である。
光源装置４は、図１ないし図３に示すように、光を出射する光源装置本体６と、光源装置本体６を冷却する冷却装置５とを備える。
なお、以下では、説明の便宜上、光源装置本体６の光出射側を「光出射前側」とし、その反対側を「光出射後側」と記載する。
【００１８】
〔冷却装置の構成〕
図４は、冷却装置５の一部の構成を示す斜視図である。具体的に、図４は、冷却ファン５１及び整流ダクト５２を前面側から見た斜視図である。
冷却装置５は、図１ないし図４に示すように、冷却ファン５１と、第３ダクトとしての整流ダクト５２と、送風ダクト５３（図２、図３）と、流路切替機構５４（図６、図７参照）とを備える。
冷却ファン５１は、外周に複数の羽根が一体化され、回転軸ＲＡｘ（図１〜図４）を中心として回転可能とする羽根車（図示略）と、当該羽根車を回転可能に軸支するケーシング５１１（図２〜図４）とを備える。
なお、本実施形態では、前記複数の羽根は、回転軸ＲＡｘを中心とする回転方向に対して後向きに曲がる形状を有する。すなわち、冷却ファン５１は、所謂、ターボファンで構成されている。
そして、冷却ファン５１は、図１ないし図３に示すように、光源装置本体６に対する背面側において、回転軸ＲＡｘが鉛直軸に沿うとともに、空気を吐出する吐出口５１２（図３、図４）が前面側（光源装置本体６）に向くように配設されている。
【００１９】
整流ダクト５２は、図２ないし図４に示すように、冷却ファン５１の吐出口５１２に取り付けられ、吐出口５１２から前面側に向けて延出し、吐出口５１２から吐出された空気を光源装置本体６に導く。
この整流ダクト５２において、その内部には、図４に示すように、吐出口５１２から吐出された空気を光出射前側の流路Ｒ１、及び光出射後側の流路Ｒ２に区画する区画板５２１が設けられている。
そして、光出射後側の流路Ｒ２に沿って吐出された空気は、図２または図３に示すように、後述するハウジング９（第１筒状部１２）の上面に沿って流通し、ハウジング９を冷却する。
なお、光出射前側の流路Ｒ１に沿って吐出された空気については、後述する。
また、送風ダクト５３及び流路切替機構５４の詳細な構成については、光源装置本体６を説明する際に同時に説明する。
【００２０】
〔光源装置本体の構成〕
光源装置本体６は、図１ないし図３に示すように、光を出射するランプユニット７（図１）と、ランプユニット７から出射された光束を略平行化する平行化レンズ８と、これらランプユニット７及び平行化レンズ８を支持するハウジング９とを備える。
【００２１】
〔ランプユニットの構成〕
図５は、ランプユニット７の構成を示す図である。具体的に、図５は、ランプユニット７を前面側から見た断面図である。
ランプユニット７は、図１または図５に示すように、発光管７１と、リフレクター７２とを備える。
発光管７１は、図５に示すように、略球状に膨出する発光部７１１と、発光部７１１を挟み、発光部７１１の両端から互いに離間する方向に延出する一対の封止部７１２，７１３とを有する。
なお、以下では、説明の便宜上、一対の封止部７１２，７１３のうち、光出射前側の封止部７１２を前側封止部７１２と記載し、光出射後側の封止部７１３を後側封止部７１３と記載する。
【００２２】
発光部７１１の内部には、図５に示すように、一対の電極Ｅ１，Ｅ２が配置され、一対の電極Ｅ１，Ｅ２間には、水銀、希ガス及び少量のハロゲンを含む発光物質が封入された放電空間Ｓが形成されている。
各封止部７１２，７１３内部には、電極Ｅ１，Ｅ２とそれぞれ電気的に接続されたモリブデン製の金属箔７１２１，７１３１が挿入され、各封止部７１２，７１３における発光部７１１とは反対側の端部は、ガラス材料等で封止されている。
これら各金属箔７１２１，７１３１には、発光管７１の外部まで延出する電極引出線７１４，７１５がそれぞれ接続され、これら電極引出線７１４，７１５に対して、電圧を印加すると、発光部７１１内部が発光する。
なお、前側封止部７１２に設けられた電極引出線７１４には、電極引出線７１４に電圧を印加するために、ハウジング９外部に配設されるコネクター（図示略）に接続するリード線７１６の一端が溶着されている。
【００２３】
リフレクター７２は、入射した光束を反射して、所定の焦点位置に収束させる。
そして、発光管７１は、発光部７１１の発光中心がリフレクター７２の焦点位置に位置するように、後側封止部７１３がリフレクター７２に固定される。
すなわち、発光管７１は、図５に示すように、断面略凹状に拡がるリフレクター７２の内部に配設されている。
【００２４】
〔ハウジングの構成〕
図６及び図７は、ハウジング９の外観構成を示す斜視図である。具体的に、図６は、各部材５３，５４が取り付けられたハウジング９の外観構成を背面側から見た斜視図である。図６は、図５に示す状態から送風ダクト５３を取り外した状態を示す図である。
ハウジング９は、ランプユニット７及び平行化レンズ８を支持し、これら各部材７及び８を一体化する。このハウジング９は、図６または図７に示すように、遮蔽部材１０と、筒状部材１１とを備える。
遮蔽部材１０は、図６または図７に示すように、筒状部材１１の光出射後側に取り付けられ、リフレクター７２の光出射後側を覆う部材である。
【００２５】
筒状部材１１は、発光管７１を囲み、発光管７１の中心軸Ａｘ（図１、図５）に沿って延出するように形成されている。
より具体的に、筒状部材１１は、図６または図７に示すように、光出射後側に位置する第１筒状部１２と、光出射前側に位置し第１筒状部１２よりも外形の小さい筒体としての第２筒状部１３とが段差部１４を介して一体的に形成されている。
【００２６】
そして、ランプユニット７は、断面略凹状に拡がるリフレクター７２における光出射前側の端部が段差部１４に当接した状態で、筒状部材１１に固定される。
また、平行化レンズ８は、図６または図７に示すように、第２筒状部１３内部における光出射前側に固定される。
上述したように筒状部材１１にランプユニット７及び平行化レンズ８が固定されることで、第２筒状部１３における光出射後側の開口部分がランプユニット７にて閉塞され、光出射前側の開口部分が平行化レンズ８にて閉塞され、第２筒状部１３、ランプユニット７及び平行化レンズ８にて囲まれた空間Ａｒ（図８、図９参照）が形成される。
【００２７】
第２筒状部１３は、図７に示すように、第１側壁部としての上壁部１３１と、第２側壁部としての右壁部１３２と、交差壁部１３３（図９参照）とを備える。
上壁部１３１は、プロジェクター１の天面側に位置し、水平方向に延出するように形成されている。
そして、この上壁部１３１において、光出射後側には、図７に示すように、第１送風口１３Ａが段差部１４に跨るように形成されている。
この第１送風口１３Ａは、具体的な図示は省略したが、プロジェクター１の天面側からの平面視で、発光管７１の中心軸Ａｘ上に位置するように形成されている。
また、上壁部１３１において、第１送風口１３Ａの前面側には、図７に示すように、光出射前側に向けて延出し、鉛直面に略平行する第１起立壁１３１Ａが形成されている。
【００２８】
右壁部１３２は、背面側に位置し、上壁部１３１に隣り合う側壁部であり、鉛直方向に延出するように形成されている。
そして、この右壁部１３２において、光出射後側には、図７に示すように、第２送風口１３Ｂが段差部１４に跨るように形成されている。
この第２送風口１３Ｂは、具体的な図示は省略したが、背面側からの平面視で、発光管７１の中心軸Ａｘよりもプロジェクター１の底面側に位置するように形成されている。
また、右壁部１３２において、第２送風口１３Ｂに対してプロジェクター１の底面側（図７中、下方側）には、図７に示すように、光出射前側に向けて延出し、水平面に略平行する第２起立壁１３２Ａが形成されている。
【００２９】
交差壁部１３３は、上壁部１３１及び右壁部１３２を接続する側壁である。
この交差壁部１３３において、光出射後側には、端部側送風口としての第３送風口１３Ｃが形成されている（図９参照）。
また、第３送風口１３Ｃの周辺部分には、図６または図７に示すように、背面側に向けて延出する筒状の導入ダクト１３４が設けられている。
この第３送風口１３Ｃは、発光管７１の中心軸Ａｘに直交する方向から見た場合に、前側封止部７１２の端部（電極引出線７１４及びリード線７１６の溶着位置）に略一致する位置に形成されている。
【００３０】
〔送風ダクトの構成〕
送風ダクト５３は、図６に示すように、互いに一端同士が接続された第１ダクト５３１及び第２ダクト５３２で構成されている。
第１ダクト５３１は、上壁部１３１の光出射前側（導入ダクト１３４の光出射前側）に取り付けられ、上壁部１３１との間で空気を流通させて第１送風口１３Ａに導く。
この第１ダクト５３１は、図６に示すように、一端が背面側（交差壁部１３３の形成位置）に位置し、一端から上壁部１３１に沿って水平方向に延出するとともに、他端側が段差部１４に当接するように光出射後側に屈曲した平面視略Ｌ字形状を有する。
【００３１】
第２ダクト５３２は、右壁部１３２の光出射前側（導入ダクト１３４の光出射前側）に取り付けられ、右壁部１３２との間で空気を流通させて第２送風口１３Ｂに導く。
この第２ダクト５３２は、図６に示すように、一端から右壁部１３２に沿って鉛直方向に延出するとともに、他端側が段差部１４に当接するように光出射後側に屈曲した平面視略Ｌ字形状を有する。
そして、各ダクト５３１，５３２の接続位置には、図６に示すように、背面側に向き、送風ダクト５３内部に空気を導入するための導入口５３３が形成されている。
【００３２】
〔流路切替機構の構成〕
流路切替機構５４は、導入口５３３を介して導入された空気の流通先を第１ダクト５３１または第２ダクト５３２に切り替える機構であり、図７に示すように、送風ダクト５３内部（第１ダクト５３１及び第２ダクト５３２の接続位置）に設けられている。
この流路切替機構５４は、図７に示すように、略矩形板体状に形成され、送風ダクト５３が第２筒状部１３に取り付けられた状態で、導入ダクト１３４の光出射前側の側壁、及び送風ダクト５３の光出射前側の側壁に回動可能に軸支される。
より具体的に、流路切替機構５４は、正置き姿勢の場合には、図７に示すように、自重により先端部分が導入ダクト１３４の光出射前側の側壁に形成された第１規制部１３４Ａに当接するまで回動する。すなわち、流路切替機構５４は、正置き姿勢の場合には、図７に示すように、第２ダクト５３２の流路を閉塞し、導入口５３３を介して導入された空気を第１ダクト５３１に流通させる。
【００３３】
一方、流路切替機構５４は、天吊り姿勢の場合には、自重により先端部分が導入ダクト１３４の光出射前側の側壁に形成された第２規制部１３４Ｂ（図７）に当接するまで回動する（図１１参照）。すなわち、流路切替機構５４は、天吊り姿勢の場合には、第１ダクト５３１の流路を閉塞し、導入口５３３を介して導入された空気を第２ダクト５３２に流通させる（図１１参照）。
【００３４】
〔正置き姿勢の場合での空気の流路〕
図８及び図９は、ハウジング９内部を流通する空気の流路を示す図である。
次に、正置き姿勢の場合において、冷却ファン５１から整流ダクト５２を介して光出射前側の流路Ｒ１に沿って吐出された空気の流路について説明する。
流路Ｒ１を辿る空気は、図６または図７に示すように、送風ダクト５３及び導入ダクト１３４内部に導入される。
送風ダクト５３内部に導入された空気は、図７に示すように、流路切替機構５４により第１ダクト５３１に導かれ、第１ダクト５３１内部の背面側から前面側に向う略直線状の流路Ｒ３（流路Ｒ１と同一方向）に沿って流通する。
そして、流路Ｒ３に沿って流通した空気は、図７または図８に示すように、第１起立壁１３１Ａにて流通方向が曲折し、第１送風口１３Ａを介して空間Ａｒに導入される。空間Ａｒに導入された空気は、流路Ｒ４に沿って発光部７１１上部の頂点位置Ｐ１に向けて送風され、発光部７１１上部を冷却する。
【００３５】
一方、導入ダクト１３４内部に導入された空気は、図９に示すように、第３送風口１３Ｃを介して空間Ａｒに導入され、前側封止部７１２の先端（電極引出線７１４及びリード線７１６の溶着位置）に向けて送風され、前側封止部７１２の先端を冷却する。
そして、発光部７１１及び前側封止部７１２の先端を冷却した後の空気は、ハウジング９における前面側に形成された排出口（図示略）を介して外部に排出される。
【００３６】
〔天吊り姿勢での空気の流路〕
図１０ないし図１３は、天吊り姿勢の場合での空気の流路を説明するための図である。
なお、図１０ないし図１２では、天吊り姿勢の場合での光源装置４の姿勢状態を示している。すなわち、図１０ないし図１２における上方側がプロジェクター１の底面側に相当し、下方側がプロジェクター１の天面側に相当する。
また、図１０ないし図１２では、説明の便宜上、冷却装置５の一部（冷却ファン５１、整流ダクト５２、及び送風ダクト５３）を適宜、省略している。
次に、天吊り姿勢の場合において、冷却ファン５１から整流ダクト５２を介して光出射前側の流路Ｒ１に沿って吐出された空気の流路について説明する。
流路Ｒ１を辿る空気は、図１０または図１１に示すように、正置き姿勢の場合と同様に、送風ダクト５３及び導入ダクト１３４内部に導入される。
送風ダクト５３内部に導入された空気は、図１１に示すように、流路切替機構５４により流通方向が曲折されて第２ダクト５３２に導かれ、第２ダクト５３２内部の鉛直軸に沿う略直線状の流路Ｒ５に沿って流通する。
そして、流路Ｒ５に沿って流通した空気は、図１１または図１２に示すように、第２起立壁１３２Ａにて流通方向が曲折し、第２送風口１３Ｂを介して空間Ａｒに導入される。空間Ａｒに導入された空気は、流路Ｒ６に沿って発光部７１１上部の頂点位置Ｐ２（正置き姿勢での下方側の頂点位置（図５、図８））に向けて送風され、発光部７１１上部を冷却する。
【００３７】
一方、導入ダクト１３４内部に導入された空気は、図１３に示すように、正置き姿勢の場合と同様に、第３送風口１３Ｃを介して空間Ａｒに導入され、前側封止部７１２の先端に向けて送風され、前側封止部７１２の先端を冷却する。
そして、発光部７１１及び前側封止部７１２の先端を冷却した後の空気は、正置き姿勢の場合と同様に、排出口（図示略）を介して外部に排出される。
【００３８】
上述した本実施形態によれば、以下の効果がある。
本実施形態では、第２筒状部１３の上壁部１３１及び右壁部１３２に第１送風口１３Ａ及び第２送風口１３Ｂがそれぞれ形成されているとともに、上壁部１３１及び右壁部１３２にそれぞれ第１ダクト５３１及び第２ダクト５３２がそれぞれ取り付けられている。
このことにより、従来の構成と比較して、第１ダクト５３１及び第２ダクト５３２の双方の流路Ｒ３，Ｒ５の長さを短く設定でき、かつ、流路Ｒ３（Ｒ４），Ｒ５（Ｒ６）の曲折も少なく設定できるため、第１ダクト５３１及び第２ダクト５３２での圧力損失を低減できる。このため、正置き姿勢や天吊り姿勢の双方の場合において、発光部７１１上部に送風する際の空気の流速や流量を十分に確保でき、発光管７１の長寿命化が図れる。
【００３９】
また、第１ダクト５３１及び第２ダクト５３２が一体化され、接続位置に導入口５３３及び流路切替機構５４が設けられているので、例えば、第１ダクト５３１及び第２ダクト５３２を別体とし、第１ダクト５３１及び第２ダクト５３２とは異なる位置（例えば、冷却ファン５１と第１ダクト５３１及び第２ダクト５３２とを接続する他のダクト）に流路切替機構を設けた構成と比較して、ハウジング９に対する第１ダクト５３１及び第２ダクト５３２の組立効率を向上できるとともに、冷却装置５の小型化、ひいては光源装置４の小型化が図れる。
【００４０】
さらに、空気の吐出方向（流路Ｒ１）が第１ダクト５３１の延出方向（流路Ｒ３）に沿うように冷却ファン５１が配設されているので、冷却ファン５１から第１ダクト５３１への空気の流路を屈曲させることがない。このため、第１ダクト５３１への導入時の圧力損失を低減でき、第１送風口１３Ａを介して発光部７１１上部（頂点位置Ｐ１）に空気を効果的に送風できる。
一方、冷却ファン５１から第２ダクト５３２への空気の流路が屈曲することとなるが、流路（流路Ｒ１，Ｒ５，Ｒ６）の曲折数（２回）は、従来の構成（３回）に比較して依然として少ないものである。したがって、第２ダクト５３２を介して発光部７１１上部（頂点位置Ｐ２）に空気を送風させる場合であっても、従来の構成に比較して、発光部７１１上部に送風する際の空気の流速や流量を十分に確保できる。
【００４１】
また、プロジェクター１の機種が例えば正置き姿勢で設置される状態の多い機種である場合には、正置き姿勢の場合に空気を流通させる第１ダクト５３１の延出方向（流路Ｒ３）に吐出方向（流路Ｒ１）が沿うように冷却ファン５１を配設することで、天吊り姿勢の場合よりも正置き姿勢の場合に、発光部７１１上部を効果的に冷却できる構成を実現できる。
このため、プロジェクター１の機種に応じて、適切な冷却構造を実現できる。
ここで、天吊り姿勢の場合では、正置き姿勢の場合に比較して、発光部７１１上部に送風される空気の流速及び流量は少なくなってしまう。しかしながら、例えば、天吊り姿勢の場合に、正置き姿勢の場合と比較して、冷却ファン５１の回転数を増加させるように制御すれば、正置き姿勢及び天吊り姿勢の双方の場合で発光部７１１上部に送風される空気の流速及び流量を略同一に設定でき、双方の姿勢で効果的に発光部７１１上部を冷却できる。
【００４２】
さらに、冷却装置５は、第２筒状部１３に第３送風口１３Ｃが形成されているとともに、冷却ファン５１からの空気の一部を第３送風口１３Ｃに導く整流ダクト５２を備える。
このことにより、送風ダクト５３とは独立した整流ダクト５２により冷却ファン５１からの空気の一部を第３送風口１３Ｃに導くことで、プロジェクター１の姿勢（正置き姿勢、天吊り姿勢）によらず、第３送風口１３Ｃを介して前側封止部７１２の先端に一定の流速及び流量の空気を送風できる。このため、プロジェクター１の姿勢によらず、前側封止部７１２の先端を冷却できる。すなわち、前側封止部７１２内部の金属箔７１２１と電極引出線７１４、及び電極引出線７１４とリード線７１６の溶着（接続）状態を良好に維持できる。
【００４３】
なお、本発明は前述の実施形態に限定されるものではなく、本発明の目的を達成できる範囲での変形、改良等は本発明に含まれるものである。
前記実施形態において、各送風口１３Ａ，１３Ｂ，１３Ｃの形成位置、及び冷却装置５の配設位置を、発光管７１の中心軸Ａｘを通る水平面に対称となる各位置に設定しても構わない。
前記実施形態では、冷却ファン５１の吐出方向（流路Ｒ１）を第１ダクト５３１の延出方向（流路Ｒ３）に沿うように設定していたが、これに限らず、冷却ファン５１の吐出方向を第２ダクト５３２の延出方向（流路Ｒ５）に沿うように設定しても構わない。
前記実施形態において、プロジェクター１は、３つの液晶パネル３４１を備える構成としたが、本発明はこれに限らない。すなわち、２つ以下、あるいは、４つ以上の液晶パネルを用いたプロジェクターにも、本発明を適用可能である。
前記実施形態において、光変調装置としては、透過型の液晶パネルの他、反射型の液晶パネルを採用しても構わない。また、光束を画像情報に応じて光束を変調する光変調装置であれば、他の構成の光変調装置を採用しても構わない。例えば、マイクロミラーを用いたデバイスなど、液晶以外の光変調装置を用いたプロジェクターにも、本発明を適用可能である。このような光変調装置を用いた場合、光束入射側及び光束出射側の偏光板３４２，３４３は省略できる。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００４４】
本発明は、プレゼンテーションやホームシアターに用いられるプロジェクターに利用できる。
【符号の説明】
【００４５】
１・・・プロジェクター、５・・・冷却装置、１３・・・第２筒状部（筒体）、１３Ａ・・・第１送風口、１３Ｂ・・・第２送風口、１３Ｃ・・・第３送風口（端部側送風口）、５１・・・冷却ファン、５２・・・整流ダクト（第３ダクト）、５４・・・流路切替機構、７１・・・発光管、１３１・・・上壁部（第１側壁部）、１３２・・・右壁部（第２側壁部）、５３１・・・第１ダクト、５３２・・・第２ダクト、５３３・・・導入口、７１１・・・発光部、Ｅ１，Ｅ２・・・電極。
【図１】
0005533129.tif 000002
【図２】
0005533129.tif 000003
【図３】
0005533129.tif 000004
【図４】
0005533129.tif 000005
【図５】
0005533129.tif 000006
【図６】
0005533129.tif 000007
【図７】
0005533129.tif 000008
【図８】
0005533129.tif 000009
【図９】
0005533129.tif 000010
【図１０】
0005533129.tif 000011
【図１１】
0005533129.tif 000012
【図１２】
0005533129.tif 000013
【図１３】
0005533129.tif 000014